【手続補正書】
【提出日】平成19年6月7日(2007.6.7)
【手続補正１】
【補正対象書類名】明細書
【補正対象項目名】特許請求の範囲
【補正方法】変更
【補正の内容】
【特許請求の範囲】
【請求項１】  第１の端末装置と、第２の端末装置とを有する無線通信システムであって、
前記第１の端末装置は、
前記第１の端末装置の位置情報を検出する位置検出部と、
画像情報を生成するコンピュータと、
前記位置情報に基づいて定められた第１の通信チャンネルで前記画像情報を前記第２の端末装置の第３の無線通信部に送信する第１の無線通信部と、
を有し、
前記第２の端末装置は、
前記画像情報を受信する前記第３の無線通信部と、
前記画像情報を表示する表示部と、
を有する、
ことを特徴とする無線通信システム。
【請求項２】  第１の端末装置と、第２の端末装置と、管理センタとを有する無線通信システムであって、
前記第１の端末装置は、
前記第１の端末装置の位置情報を検出する位置検出部と、
画像情報を生成するコンピュータと、
第１の通信チャンネルで前記画像情報を前記第２の端末装置の第３の無線通信部に送信する第１の無線通信部と、
前記位置情報を前記管理センタの通信部に送信し、前記第１の通信チャンネルを指示する第１の通信チャンネル情報を前記管理センタの前記通信部から受信し、前記第１の通信チャンネル情報を前記第１の無線通信部に伝送する第２の無線通信部と、
を有し、
前記第２の端末装置は、
前記画像情報を受信する前記第３の無線通信部と、
前記画像情報を表示する表示部と、
を有し、
前記管理センタは、
前記位置情報を受信し、前記第１の通信チャンネル情報を送信する前記通信部と、
前記位置情報に基づいて、前記第１の通信チャンネル情報を決定する第１の通信チャンネル決定部と、
を有する、
ことを特徴とする無線通信システム。
【請求項３】  第１の端末装置と、第２の端末装置とを有する無線通信システムであって、
前記第１の端末装置は、
画像情報を生成するコンピュータと、
第２の通信チャンネルに基づいて定められた第１の通信チャンネルで第１の無線通信を実行することにより、前記画像情報を前記第２の端末装置の第３の無線通信部に送信する第１の無線通信部と、
無線通信基地局との無線通信における通信チャンネルである前記第２の通信チャンネルを指示する第２の通信チャンネル指示情報を前記無線通信基地局から受信する第２の無線通信部と、
を有し、
前記第２の端末装置は、
前記画像情報を受信する前記第３の無線通信部と、
前記画像情報を表示する表示部と、
を有する、
ことを特徴とする無線通信システム。
【請求項４】  第１の端末装置と、第２の端末装置と、管理センタとを有する無線通信システムであって、
前記第１の端末装置は、
画像情報を生成するコンピュータと、
第１の通信チャンネルで前記画像情報を前記第２の端末装置の第３の無線通信部に送信する第１の無線通信部と、
無線通信基地局との間で無線通信をすることにより前記無線通信基地局から前記第１の端末装置の位置情報を受信し、前記管理センタの通信部に前記位置情報を送信し、且つ前記管理センタの前記通信部から前記第１の通信チャンネルを指示する第１の通信チャンネル指示情報を受信し、前記第１の通信チャンネル指示情報を前記第１の無線通信部に伝送する第２の無線通信部と、
を有し、
前記第２の端末装置は、
前記画像情報を受信する前記第３の無線通信部と、
前記画像情報を表示する表示部と、
を有し、
前記管理センタは、
前記位置情報を受信し、前記第１の通信チャンネル指示情報を送信する前記通信部と、
前記位置情報に基づいて、前記第１の通信チャンネル指示情報を決定する第１の通信チャンネル決定部と、
を有する、
ことを特徴とする無線通信システム。
【請求項５】  前記第２の端末装置の前記第３の無線通信部は、
前記第１の無線通信部から送信された前記第１の通信チャンネル指示情報に基づいて第１の通信チャンネルを決定し、又は、
前記第３の無線通信部が、記憶している識別子と同一の識別子を含む情報を受信した通信チャンネルを前記第１の通信チャンネルに決定する、
ことを特徴とする請求項１から請求項４のいずれかの請求項に記載の無線通信システム。
【請求項６】  前記第２の端末装置は更に第４の無線通信部を有し、
前記第４の無線通信部は、前記第１の通信チャンネル指示情報を前記管理センタの前記通信部又は前記第２の無線通信部から受信し、前記第１の通信チャンネル指示情報を前記第３の無線通信部に伝送する、
ことを特徴とする請求項２から請求項４のいずれかの請求項に記載の無線通信システム。
【請求項７】  第１の端末装置と、第２の端末装置とを有する無線通信システムの制御方法であって、
前記第１の端末装置が前記第１の端末装置の位置情報を検出する位置検出ステップと、
前記第１の端末装置が画像情報を生成する画像情報生成ステップと、
前記位置情報に基づいて定められた第１の通信チャンネルで前記第１の端末装置から前記画像情報を前記第２の端末装置に送信する無線通信ステップと、
前記第２の端末装置が前記画像情報を受信する無線通信ステップと、
前記第２の端末装置が前記画像情報を表示する表示ステップと、
を有する、
ことを特徴とする無線通信システムの制御方法。
【請求項８】  第１の端末装置と、第２の端末装置と、管理センタとを有する無線通信システムの制御方法であって、
前記第１の端末装置が前記第１の端末装置の位置情報を検出する位置検出ステップと、
前記第１の端末装置が前記位置情報を前記管理センタに無線で送信する送信ステップと、
前記管理センタが前記位置情報を受信する受信ステップと、
前記管理センタが前記位置情報に基づいて第１の通信チャンネルを指示する第１の通信チャンネル指示情報を決定する通信チャンネル決定ステップと、
前記管理センタが前記第１の端末装置に前記第１の通信チャンネル指示情報を送信する通信ステップと、
前記第１の端末装置が前記第１の通信チャンネル指示情報を受信する受信ステップと、
前記第１の端末装置が画像情報を生成する画像情報生成ステップと、
前記第１の端末装置が第１の通信チャンネルで前記画像情報を前記第２の端末装置に無線で送信する無線通信ステップと、
前記第２の端末装置が前記画像情報を無線で受信する無線通信ステップと、
前記第２の端末装置が前記画像情報を表示する表示ステップと、
を有する、
ことを特徴とする無線通信システムの制御方法。
【請求項９】  第１の端末装置と、第２の端末装置とを有する無線通信システムの制御方法であって、
前記第１の端末装置が無線通信基地局との無線通信における通信チャンネルである第２の通信チャンネルを指示する第２の通信チャンネル指示情報を前記無線通信基地局から受信する無線通信ステップと、
前記第１の端末装置が画像情報を生成する画像情報生成ステップと、
前記第１の端末装置が第２の通信チャンネルに基づいて定められた第１の通信チャンネルで前記画像情報を前記第２の端末装置に無線で送信する無線通信ステップと、
前記第２の端末装置が前記画像情報を無線で受信する無線通信ステップと、
前記第２の端末装置が前記画像情報を表示する表示ステップと、
を有する、
ことを特徴とする無線通信システムの制御方法。
【請求項１０】  第１の端末装置と、第２の端末装置と、管理センタとを有する無線通信システムの制御方法であって、
前記第１の端末装置が無線通信基地局との間で無線通信をすることにより前記無線通信基地局から前記第１の端末装置の位置情報を受信する受信ステップと、
前記第１の端末装置が前記管理センタに前記位置情報を無線で送信する送信ステップと、
前記管理センタが前記位置情報を受信する受信ステップと、
前記管理センタが前記位置情報に基づいて、第１の通信チャンネルを指示する第１の通信チャンネル指示情報を決定する通信チャンネル決定ステップと、
前記管理センタが前記第１の端末装置に前記第１の通信チャンネル指示情報を送信する通信ステップと、
前記第１の端末装置が前記第１の通信チャンネル指示情報を無線で受信する受信ステップと、
前記第１の端末装置が画像情報を生成する画像情報生成ステップと、
前記第１の端末装置が第１の通信チャンネルで前記画像情報を前記第２の端末装置に無線で送信する無線通信ステップと、
前記第２の端末装置が前記画像情報を無線で受信する無線通信ステップと、
前記第２の端末装置が前記画像情報を表示する表示ステップと、
を有する、
ことを特徴とする無線通信システムの制御方法。
【請求項１１】  前記第２の端末装置が、前記第１の端末装置から無線で送信された前記第１の通信チャンネル指示情報を受信して前記第１の通信チャンネル指示情報に基づいて第１の通信チャンネルを決定し、又は、記憶している識別子と同一の識別子を含む情報を受信した通信チャンネルを前記第１の通信チャンネルに決定する通信チャンネル決定ステップと、
を更に有する、
ことを特徴とする請求項７から請求項１０のいずれかの請求項に記載の無線通信システムの制御方法。
【請求項１２】  前記第２の端末装置が、前記第１の通信チャンネル指示情報を前記管理センタから無線で受信する受信ステップと、
を更に有する、
ことを特徴とする請求項８又は請求項１０に記載の無線通信システムの制御方法。
【手続補正２】
【補正対象書類名】明細書
【補正対象項目名】００１３
【補正方法】変更
【補正の内容】
【００１３】
請求項７に記載の発明は、第１の端末装置と、第２の端末装置とを有する無線通信システムの制御方法であって、前記第１の端末装置が前記第１の端末装置の位置情報を検出する位置検出ステップと、前記第１の端末装置が画像情報を生成する画像情報生成ステップと、前記位置情報に基づいて定められた第１の通信チャンネルで前記第１の端末装置から前記画像情報を前記第２の端末装置に送信する無線通信ステップと、前記第２の端末装置が前記画像情報を受信する無線通信ステップと、前記第２の端末装置が前記画像情報を表示する表示ステップと、を有する、ことを特徴とする無線通信システムの制御方法である。
【手続補正３】
【補正対象書類名】明細書
【補正対象項目名】００１８
【補正方法】変更
【補正の内容】
【００１８】
請求項１２に記載の発明は、前記第２の端末装置が、前記第１の通信チャンネル指示情報を前記管理センタから無線で受信する受信ステップと、を更に有する、ことを特徴とする請求項８又は請求項１０に記載の無線通信システムの制御方法である。
【手続補正４】
【補正対象書類名】明細書
【補正対象項目名】００２３
【補正方法】変更
【補正の内容】
【００２３】
管理センタ１１０の通信部１１１は、通知された第１の端末装置１０１の位置情報を位置情報記録部１１２に通知する。位置情報記録部１１２では位置情報をデータベースに記録する。チャンネル決定部１１３では第１の端末装置１０１の通信チャンネルを決定する。管理センタ１１０は複数の第１の端末の位置情報を受信し、記録管理している。それぞれの端末装置が混信しないようにチャンネル決定部１１３はチャンネルを振り分ける。決定された第１の端末装置１０１の通信チャンネルを指示する情報(「通信チャンネル情報」と言う。)は管理センタ１１０の通信部１１１、有線通信網１２２、無線通信基地局１２１を経由して第１の端末装置１０１に送信される。
【手続補正５】
【補正対象書類名】明細書
【補正対象項目名】００２４
【補正方法】変更
【補正の内容】
【００２４】
決定された通信チャンネル情報を受信した第１の端末装置１０１の第２の無線通信部１０４は、コンピュータ(本体)１０３に通信チャンネル情報を伝送する。コンピュータ(本体)１０３は第１の無線通信部１０２に通信チャンネル情報を伝送する。第１の無線通信部１０２は第２の端末装置１０６に通信チャンネル情報を送信し、第３の無線通信部１０８はその通信チャンネル情報を受信する。その後第１の無線通信部１０２と第２の端末装置１０６の第３の無線通信部１０８とは、当該通信チャンネルでデータ通信を行う。
【手続補正６】
【補正対象書類名】明細書
【補正対象項目名】００２８
【補正方法】変更
【補正の内容】
【００２８】
ステップ２１２で第２の端末装置１０６において第３の無線通信部１０８が通信チャンネル情報を受信する。ステップ２１３で表示部１０７は第３の無線通信部１０８、第１の無線通信部１０２を経由してコンピュータ(本体)１０３と通信を行う。第１の無線通信部１０２と第３の無線通信部１０８とは当該通信チャンネルで無線通信する。
【手続補正７】
【補正対象書類名】明細書
【補正対象項目名】００３２
【補正方法】変更
【補正の内容】
【００３２】
ＧＰＳ位置検出部１０５は、ＧＰＳ衛星１２０より自分自身(第１の端末装置１０１)の位置を検出する。ＧＰＳ位置検出部１０５は取得した位置情報を第２の無線通信部１０４に通知する。第２の無線通信部１０４は第１の端末装置１０１の位置情報を管理センタ１１０に送信する。第２の無線通信部１０４から出力された電波(位置情報)は無線通信基地局１２１により受信される。さらに有線通信網１２２を介して第１の端末装置１０１の位置情報は管理センタ１１０に通知される。
【手続補正８】
【補正対象書類名】明細書
【補正対象項目名】００３９
【補正方法】変更
【補正の内容】
【００３９】
同様に、ステップ５１０で管理センタ１１０の通信部１１１は各第１の端末装置１０１及び第２の端末装置１０６の通信チャンネル情報を各第２の端末装置１０６に送信する。ステップ５１１で第２の端末装置１０６において第４の無線通信部１０９がその第１の端末装置及び第２の端末装置の通信チャンネル情報を受信する。ステップ５１２で第４の無線通信部１０９は第３の無線通信部１０８に通信チャンネル情報を通知する。ステップ５１３で表示部１０７は第３の無線通信部１０８、第１の無線通信部１０２を経由してコンピュータ(本体)１０３と通信を行う。第３の無線通信部１０８は、通信チャンネル情報に基づいて指定された通信チャンネルＢで第１の無線通信部１０２に情報を伝送する。
【手続補正９】
【補正対象書類名】明細書
【補正対象項目名】００４７
【補正方法】変更
【補正の内容】
【００４７】
ステップ７１３で第２の端末装置１０６の第３の無線通信部１０８が第１の通信チャンネル情報を受信する。ステップ７１４で表示部１０７は第３の無線通信部１０８、第１の無線通信部１０２を経由してコンピュータ(本体)１０３と通信を行う。第３の無線通信部１０８は第１の通信チャンネルで第１の無線通信部１０２と通信する。
第２の通信チャンネルは、第１の端末装置１０１と無線通信基地局１２１との通信チャンネルである。第１の通信チャンネルは、第１の端末装置１０１と第２の端末装置１０６との通信チャンネルである。
【手続補正１０】
【補正対象書類名】明細書
【補正対象項目名】００４９
【補正方法】変更
【補正の内容】
【００４９】
《実施例４》  
図８、９を用いて、本発明の実施例４の無線通信システムを説明する。実施例１との違いは、位置情報を電話局センタより取得する点である。
図８は、本発明の実施例４の無線通信システムの構成図である。図１との違いは、ＧＰＳ衛星、ＧＰＳ位置検出部がなくなり、代わりに電話局センタが追加されている点である。
図８において、１０１は第１の端末装置、１０６は第２の端末装置、１１０は管理センタ、１２１は無線通信基地局、１２２は有線通信網、１３０は電話局センタである。第１の端末装置１０１は、第１の無線通信部１０２、コンピュータ(本体)１０３、第２の無線通信部１０４を有する。第２の端末装置１０６は表示部１０７、第３の無線通信部１０８を有する。管理センタ１１０は、通信部１１１、位置情報記録部１１２、チャンネル決定部１１３を有する。電話局センタ１３０は、通信部１３１、位置情報生成部１３２、位置情報記録部１３３、チャンネル決定部１３４を有する。
【手続補正１１】
【補正対象書類名】図面
【補正対象項目名】図３
【補正方法】変更
【補正の内容】
【図３】
2002320258.tif 000001
【手続補正１２】
【補正対象書類名】図面
【補正対象項目名】図６
【補正方法】変更
【補正の内容】
【図６】
2002320258.tif 000002
【手続補正１３】
【補正対象書類名】図面
【補正対象項目名】図８
【補正方法】変更
【補正の内容】
【図８】
2002320258.tif 000003